【手続補正書】
【提出日】平成16年10月5日(2004.10.5)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、失禁患者、幼児、寝たきりの病人や老人等に使用する男性用吸収性物品に関する。
【０００２】
【従来の技術】
失禁患者や寝たきりの病人等は、自律して排尿行為を行なうことができない。従って、これらの者の排尿に対処する必要がある。そのための器具や方法がいくつか開示されている。
【０００３】
代表的な方法の一つに尿道を通してカテーテルを膀胱まで導き、カテーテルを通して尿を排尿容器に導く方法がある。しかし、かかる方法は、施術者に非常に痛みが伴うとともに装置も大掛かりなものとなるため、尿を体外に排出することすら困難な重病患者等においては適当であるが、軽度の失禁患者や介護人などの介護をうければ排尿行為が可能な者などに対しては行なうのは不適当である。
【０００４】
他の方法としては、使用者の陰茎にガラスや樹脂でできた鞘状の排尿容器を陰茎に被せるとともに、ベルトなどで装着者の体に固定する種の排尿器具を用いる方法である。かかる方法は、装着時の痛みは少ないが、装着に手間がかかる上に、排尿容器に重量があるため常時使用するには使用者の負担が大きく、また、身動きも制限される。さらには排尿容器の存在が衣類の上から目立つという欠点もある。
【０００５】
一方、最も簡易な方法としては、使い捨ておむつを使用する方法がある。かかる方法は、上記の器具を用いた方法よりは装着性は簡易となるが、おむつはかさばるため衣類の上から着用していることが目立ちやすいうえに着用者の動きも制限する。また、使い捨ておむつは実質的に尿を吸収する部分は一部分であるにもかかわらず、一度使用するとその全部を交換する必要があり経済的ではない。さらに、自分でおむつを交換することができない寝たきりの患者等の場合は、排尿後から介護人などに交換してもらうまでの間、おむつ内に尿が存在したままの状態となり、かかる状態が続くと不快になるばかりか、蒸れて皮膚かぶれを引き起こすことがある。また、おむつの交換は介護人にとって大きな負担である。
【０００６】
【発明が解決しようとする課題】
そこで、本発明の主たる課題は、従来方法の有する欠点のない男性用吸収性物品、すなわち、装着感に優れかつ装着者の身動きを制限することがなく、また、比較的簡易に装着および交換でき、さらには、経済性にも優れる男性用吸収性物品を提供することにある。
【０００７】
【課題を解決するための手段】
上記課題を解決した請求項記載の発明は次記のとおりである。
＜請求項１記載の発明＞
着用したとき陰茎の少なくとも亀頭部が外部に突出する穴部を有する着用部品と、体液を吸収して保持する液保持性の吸収部を有する袋状の袋部品とを備え、
かつ、前記袋部品が前記穴部から外部に突出した陰茎の少なくとも亀頭部を包み込むようにして、前記着用部品に対して着脱自在に取り付けられていることを特徴とする男性用吸収性物品。
【０００８】
（作用効果）
陰茎の少なくとも亀頭部を包み込むようにして袋部品が取り付けられるので尿が袋内に確実に保持される。袋部品が着用部品に対して着脱自在であるので、着用部品を着けたまま袋部品のみを交換することができる。袋部品のみを交換できるので使用後、簡易にそして迅速に交換することできる。また、尿を吸収する袋部品と実質的に使用者が身に付ける着用部品とが別体であるので、着用部品の着用箇所は蒸れず、おむつ等と比較すると着用者の不快感が非常に低減される。
【０００９】
＜請求項２記載の発明＞
外部に突出する筒部を有し、着用したとき陰茎が前記筒部に挿入されるようにした着用部品と、体液を吸収して保持する液保持性の吸収部を有する袋状の袋部品とを備え、
かつ、前記袋部品は、その基部が前記筒部を覆い、陰茎を覆うようにして、前記着用部品に対して着脱自在に取り付けられていることを特徴とする男性用吸収性物品。
【００１０】
（作用効果）
請求項１記載の発明の効果に加えて、筒部によって陰茎が誘導されるので、袋部品の取り付けが確実なものとなる。また、陰茎が筒部によって支持されるので装着感に優れる。さらには、筒部を設けることにより、尿が着用部品内へ逆流する恐れが少なくなる。
【００１１】
＜請求項３記載の発明＞
袋部品は、着用部品またはその筒部に対して介在するメカニカルファスナーにより着脱自在とされている請求項１または２記載の男性用吸収性物品。
【００１２】
（作用効果）
メカニカルファスナーにより着脱自在としたので、袋部品の着用部品への取り付けおよび取り外しが容易となる。
【００１３】
＜請求項４記載の発明＞
袋部品は、内面側に透液性シートと、外面側に不透液性シートと、それらの間に介在される体液保持性の吸収部とを有する請求項１〜３の何れか１項に記載の男性用吸収性物品。
【００１４】
（作用効果）
内面側に透液性シートと、外面側に不透液性シートと、それらの間に介在される体液保持性の吸収部とを有するので、尿が袋外に洩れることが確実に防止され、また、吸収性物品が直接肌に触れることがなくなる。
【００１５】
＜請求項５記載の発明＞
吸収部は、陰茎の先頭から先端側に離間した位置に存在する請求項４記載の男性用吸収性物品。
【００１６】
（作用効果）
陰茎先端から袋部品の先端側に向かって排尿されることになるので、陰茎先端から袋部品の先端側に吸収部を配置することで尿が好適に吸収されるようになる。さらに、陰茎先端から先端側に離間する位置に存在するので、吸収された尿が陰茎と接触しづらくなり使用者の不快感が低減される。
【００１７】
＜請求項６記載の発明＞
袋部品の基部は、陰茎に対して弾性伸縮性を有して包み込むものである請求項１または２記載の男性用吸収性物品。
【００１８】
（作用効果）
袋部品の基部が弾性伸縮性を有するので、陰茎を袋部品に挿入した状態としたときに、袋部品の基部が陰茎の基部や中間部に対してフィットするため、袋部品がずれたり意図せず外れたりする事故が少なくなる。また、基部は弾性伸縮性なので陰茎が圧迫されることもない。さらに、陰茎が袋部品に沿った状態に維持され尿が袋部品内に確実に導かれるようになるとともに、着用部品内への尿の逆流も防止される。
【００１９】
＜請求項７記載の発明＞
袋部品の基部の未使用時の内径寸法が、変更可能である請求項１、２または６記載の男性用吸収性物品。
【００２０】
（作用効果）
使用者の陰茎の外径に応じて適宜の内径寸法とすることが可能となる。
【００２１】
＜請求項８記載の発明＞
着用部品は長時間継続して使用するのに対して、袋部品は使い捨てである請求項１または２記載の男性用吸収性物品。
【００２２】
（作用効果）
着用部品は長時間継続して使用するのに対して袋部品を使い捨てとしたので、使用後に実質的に尿を吸収する袋部品のみを交換するだけでよく経済的であり資源の無駄防止にもなる。
【００２３】
【発明の実施の形態】
本発明の実施の形態を図面を参照しながら以下に詳述する。
（第１の実施の形態）
図１および２は、本発明に係る男性用吸収物品の第１の実施の形態を示したものである。この男性用吸収性物品Ｘ１は、パンツ型の着用部品１と、陰茎を挿入して包み込める大きさの袋状の袋部品２とを備えている。着用部品１は、一般的な下着として用いられるパンツとほぼ同様の形状である。図示される着用部品１は、不織布で形成されており、脚部および腰部にあたる位置１Ｌ，１Ｌ，１Ｗにそれぞれ弾性伸縮部材Ｌｇ，Ｗｇが配置され装着性が高められている。使用者に対しては一般的な下着としてのパンツと同様にして着用される。なお、着用部品１は、不織布で形成されたものに限らず一般的な織布で形成されたものであってもよい。
【００２４】
この着用部品１には、使用者が着用したさいにほぼ陰茎が位置する部位に、前記陰茎を外部に露出させるための穴部１ｈが形成されており、着用部品１を着用した状態で陰茎のみを外部に露出させることができるようになっている。使用者または介護者などはこの穴部１ｈから使用者の陰茎を外部に露出させる。ここで穴部から陰茎の亀頭部のみを露出させるか、中間部まで露出させるかあるいは根元まで露出させるかは使用者等が適宜選択すればよい。この穴部１ｈの周囲には、着用部品１の外面側にメカニカルファスナーの一方を構成するループ部材１０がホットメルト接着剤等１１によって取り付けられており、かかるループ部材１０と後述する袋部品２に設けられたメカニカルファスナーの他方を構成するフック部材２０とを当接させることにより、着用部品１に対して袋部品２が取り付けられる。ここで、本発明においては着用部品がわにフック部材、袋部品がわにループ部材が設けられていてもよい。後述の実施の形態についても同様である。
【００２５】
前記袋部品２は、その断面が図２に示されるように、内面側に不織布などからなる透液性シート２１と外面側にポリエチレンシートなどからなる不透液性シート２２とそれらの間に吸収部２３になる綿状パルプ等からなる吸収部材が介在されたものである。前記吸収部２３は、袋部品２を着用部品に取り付けた状態、即ち袋部品２で陰茎を包みこんだ状態において陰茎の先端から先端側に離間した位置にあるのが好ましく、図示される例では、袋部品２の袋底に吸収部２３がある。前記吸収部２３は、綿状パルプのほか従来既知の使い捨ておむつ等に用いられている液吸収性高分子樹脂やそれらを適宜不織布などで包んで形成した吸収要素等の吸収部材により形成することができる。また、前記吸収部２３は、好適にはある程度の柔軟性を有するものである。
【００２６】
一方、袋部品２の基部２ｂ即ち開口部の近傍は、弾性伸縮部材２４が周方向に配置され、使用時に陰茎の先端を除く部位、即ち陰茎の基部や中間部に対して弾性を持って当接してフィットするフィット部２ｂとされている。かかるフィット部２ｂの形成により装着感が高められ、ずれも防止される。
【００２７】
さらに、前記袋部品２は、袋部の開口縁がフランジ状に広げられており、かかるフランジ状部分２ｆにメカニカルファスナーを構成するフック部材２０がホットメルト接着剤２５により接着されている。陰茎が袋部品２に挿入された後、かかるフック部材２０を着用部品１の前記ループ部材１０に当接させることにより、袋部品２が着用部品１に対して取り付けられる。他方、使用者が袋部品２内で排尿して袋部品２が使用された後など必要時には、前記フック部材２０とループ部材１０とを剥離させることにより、袋部品２が着用部品１から取り外される。
【００２８】
ここで袋部品２を着用部品１から取り外すさいに、ループ部材１０が着用部品１の外面から剥がれたり、フック部材２０がフランジ状部２ｆを形成する透液性シート２１から剥がれたりせず、ループ部材１０とフック部材２０との剥離により取り外されるようにするために、前記ループ部材１０の着用部品１の外面に対する接着力および前記フック部材２０の透液性シート２１に対する接着力は、ともに、ループ部材１０とフック部材２０との剥離強度よりも大きいものとする。
【００２９】
以上の構成の男性用吸収性物品Ｘ１は、袋部品２の着用部品１への着脱時に、使用者が着用部品１を脱ぐ必要がなく、もって、非常に簡易にそして迅速に袋部品の交換が行なえる。
【００３０】
（第２の実施の形態）
次いで、図３および４に第２の実施の形態にかかる男性用吸収性物品Ｘ２を示す。第２の実施の形態における着用部品１は、使用者が着用したときにほぼ陰茎が位置する部位に外部に突出する筒部１ｔが形成されている。かかる筒部１ｔには、その周方向に沿って弾性伸縮部材１２が配されており、前記筒部１ｔは伸縮性を有する。また、筒部１ｔの長さは、少なくとも陰茎の先端が外部に露出する長さとされており、着用部品１が使用者に着用されたときに、筒部１ｔの先端から陰茎が外部に露出するようになっている。そのさいに前記筒部１ｔは陰茎基部に弾性を持って当接し、第１の実施の形態におけるフィット部２ｂと同様の効果を奏する。
【００３１】
また、袋部品２を取り付けるためのメカニカルファスナーの一方を構成するループ部材１０は、前記着用部品１の外面側の前記筒部１ｔの基端周囲にホットメルト接着剤等１１により接着されている。
【００３２】
一方、第２の実施の形態における袋部品２は、透液性シート２１、不透液性シート２２および吸収部２３で構成される袋部２Ａの口元に、プラスチック等の比較的硬質な筒体２Ｂが取り付けられて、基部が硬質となっている。前記袋部２Ａと筒体２Ｂとは、前記袋部２Ａの開口縁部の内面と筒体２Ｂの外面とをホットメルト接着材２６などによって接着されている。
【００３３】
前記筒体２Ｂは、その内径が前記着用部品１の筒部１ｔの内径よりも大きく、また、袋部２Ａが接着されている側と反対の開口側がフランジ形状２Ｂｆとなっている。かかるフランジ形状部分２Ｂｆとメカニカルファスナーの他方を構成するフック部材２０とがホットメルト接着剤等２５により接着されている。このフック部材２０と前記着用部品１のループ部材１０との当接により袋部品２が着用部品１に取り付けられる。
【００３４】
第２の実施の形態では、袋部品２の基部が比較的硬質であるため挿入口がゆがんでふさがったりするとがなく、陰茎を袋部品２内部に誘導することが容易であり、袋部品２の取り付けがより容易となる。また、取り外しに関しても硬質な筒体２Ｂを持って引っ張るだけで容易に行なえるようになる。
【００３５】
（その他の着用部品の例）
第１および第２の実施の形態においては、着用部品はいわゆるパンツ型のものが示されているが、本発明にかかる着用部品は、図５に示されるような、テープファスナー１３等によって前身頃１Ａと後身頃１Ｂとを連結して着用する一般的なおむつタイプのであってもよい。
【００３６】
さらには、本発明に係る着用部品は、上記例に示されるようなパンツタイプやおむつ型の形状に類似する形態に限られず、ベルトによって人体に固定されるものなどでもよい。本発明にかかる着用部品は、人体に着用でき、かつ、陰茎が突出される穴部を有するものであれば、その具体的な形状および着用形態は限定されない。
【００３７】
（その他の袋部品の例）
本発明に係る袋部品の他の例を下記に示す。
袋部品の第３の例は、図６に示されるように、透液性シート２１と不透液性シート２２との間に、第１吸収部２３Ａと第２吸収部２３Ｂとを有するものである。第１吸収部２３Ａは、第１および第２の実施の形態の袋部品２と同様に袋底に配置されている。一方、第２吸収部２３Ｂは、前記第１吸収部２３Ａの配設部位およびフィット部２ｂを除いてほぼ全体に渡って配置されている。この第２吸収部２３Ｂは、液吸収性の高分子樹脂を用いた薄手の柔軟性シート材であり、袋全体の柔軟性が損なわれないようになっている。
【００３８】
かかる第３の例の袋部品２は、使用者が寝ている状態で排尿するなどして袋部品２内で尿が逆流した場合にも、尿が第２吸収部２３Ｂで吸収されるので、着用部品１が汚れたりすることがなく、また、逆流した尿が袋中に滞在して使用者が不快になることがなくなる。
【００３９】
また、第１吸収部２３Ａと第２吸収部２３Ｂとは別体とされている。別体とすると、尿が逆流しない状況で排尿された場合は、肌から離間した位置にある第１吸収部２３Ａで尿のほとんどが吸収され、使用者の不快感がより低減される。
【００４０】
次いで、袋部品の第４の例を説明する。図７および８に示される第４の例の袋部品２は、第１の実施の形態の袋部品２において、フィット部２ｂの内径寸法を調節可能としたものである。具体的には、第４の例の袋部品２は、フィット部２ｂの外周に周方向に沿って止着テープ２７が配置されている。この止着テープ２７は一部が前記フィット部２ｂの外面にホットメルト接着剤２７ｘなどによってしっかりと固着されおり、また、その自由端部２７ｆには粘着材層２７ｃが形成されている。さらに、前記自由端部２７ｆの先端部は折り返されて摘み部２７ｚとなっている。
【００４１】
かかる構成の第４の袋部品２は、止着テープ２７の自由端部２７ｆを止着テープ２７自身の外面またはフィット部２ｂの外面の適宜の位置に止着することで、フィット部２ｂの内径寸法の調節が可能である。このようにすると、装着感が向上するとともに、袋部品２がずれたり意図せず着用部品１から外れたりする事故がなくなる。また、装着後に使用者が動いたことによってフィット部２ｂが陰茎からずれてフィット感が低下したりしたときに、かかる止着テープ２７を止めなおすことでフィット感の再現が可能である。
【００４２】
なお、前記止着テープ２７は、メカニカルファスナーで構成されたテープファスナーとすることもできる。
【００４３】
次いで、袋部品の第５の例を説明する。図９に示される袋部品２の第５の例は、重なり合せたシートの縁部をホットメルト接着剤などにより接着して袋状とされており、その基部は弾性伸縮部材２４が配されたフィット部２ｂとなっている。また、かかる袋部品２には、袋部品２の開口縁２ｅの半周長さよりも短い長さの幅の二枚のテープ状のフック部材２０，２０が対向するようにしてフィット部２ｂの外面にホットメルト接着剤等により接着されている。各フック部材２０，２０の接着部分は、袋部品２の開口縁２ｅから弾性伸縮部材２４の配置されている部位まで達している。
【００４４】
袋部品２は、フック部材２０の自由端部と着用部品１のループ部材１０との当接によって、袋部品２が着用部品１へ取り付けられる。かかる袋部品２は、各フック部材２０，２０の自由端部を持ってそれぞれ反対方向（図示例では白抜き矢印の方向）に引っ張ると、袋部品２の陰茎挿入口が広く開口するとともに、前記弾性伸縮部材２４が伸長してフィット部２ｂの内径寸法が広がるため、陰茎を袋部品２に挿入しやすく、着用部品１への袋部品２の取り付けが容易である。
【００４５】
ところで、上記例においては、着用部品１と袋部品２とを着脱自在にする手段として、メカニカルファスナー１０，２０を用いているが、かかる手段はメカニカルファスナーに限られず、例えば、粘着シートと離型処理されたフィルムシートからなるものや、リングにフックを掛ける係合によるものなど、従来既知の着脱自在にする手段を適宜用いることが可能である。
【００４６】
【発明の効果】
以上詳説のとおり、本発明によれば、装着感、装着性および経済性に優れるとともに、簡易に使用可能な男性用吸収性物品が提供される。
【００４７】
【発明の効果】
以上詳説のとおり、本発明によれば、装着感、装着性および経済性に優れるとともに、簡易に使用可能な男性用吸収性物品が提供される。
袋部品の第５の例を示す斜視図である。
【手続補正２】
【補正対象書類名】明細書
【補正対象項目名】符号の説明
【補正方法】変更
【補正の内容】
【符号の説明】
１…着用部品、２…袋部品、１Ｌ…足周り部、１Ｗ…腰周り部、１ｈ…穴部、２Ａ…袋部、２Ｂ…筒体、２ｂ…基部（フィット部）、２ｅ…開口縁、１ｔ…筒部、１０…ループ部材、２０…フック部材、２１…透液性シート、２２…不透液性シートフック、２３…吸収部、１２，２４…弾性伸縮部材、１１，２５，２６，２７ｘ…ホットメルト接着剤、２７…止着テープ、２７ｃ…粘着部、２７ｚ…摘み部、Ｌｇ，Ｗｇ…弾性伸縮部材、Ｘ１，Ｘ２…男性用吸収性物品。
【手続補正３】
【補正対象書類名】図面
【補正対象項目名】図２
【補正方法】変更
【補正の内容】
【図２】
2003111788.tif 000001
【手続補正４】
【補正対象書類名】図面
【補正対象項目名】図６
【補正方法】変更
【補正の内容】
【図６】
2003111788.tif 000002